(57)【要約】【課題】  棒状部材相互間を容易に結合する。【解決手段】  交差したパイプ１３，１５相互間を交差部２１で結合する棒状部材の結合具であって、前記パイプ１３，１５の外周部断面方向に屈曲した凹部２９及び中間部４５により前記外周部断面方向へそれぞれ係合するベース部材２５及びＵボルト２７と、前記ベース部材２５及びＵボルト２７相互を締結結合しベース部材２５及びＵボルト２７の凹部２９及び中間部４５を前記両パイプ１３，１５の外周部３１，４７にそれぞれ圧接させて前記パイプ１３，１５を挟圧固定可能とするナット５１とからなることを特徴とする。【選択図】  図２
2008157294.tif 000002
【特許請求の範囲】
【請求項１】
交差した棒状部材相互間を交差部で結合する棒状部材の結合装置であって、
前記棒状部材の外周部断面方向に屈曲した屈曲部により該棒状部材の外周部の一部にそれぞれ断面方向へ係合し軸方向へ相対移動可能な各棒状部材の各保持部材と、
前記保持部材相互を締結結合し各保持部材の屈曲部を各棒状部材の外周部にそれぞれ圧接させて前記両棒状部材を挟圧固定可能とする締結部材と、
からなることを特徴とする結合装置。
【請求項２】
請求項１記載の結合装置であって、
前記保持部材の一方は、前記一方の棒状部材の外周部軸方向に沿った板状のベース部材であり、
前記保持部材の他方は、前記一方の棒状部材の断面方向両側に配置され各端部が前記ベース部材に締結結合される屈曲した線状の雄側締結部材であり、
前記締結部材は、前記雄側締結部材を前記ベース部材へ締結結合する雌側締結部材である、
ことを特徴とする結合装置。
【請求項３】
請求項２記載の結合装置であって、
前記ベース部材の屈曲部は、前記一方の棒状部材の外周部の断面形状に沿った断面形状を備えた、
ことを特徴とする結合装置。  
【請求項４】
請求項３記載の結合装置であって、
前記屈曲部の断面形状は、円形状、三角形状、四角形状の何れかの一部をなす、
ことを特徴とする結合装置。  
【請求項５】
請求項２〜４の何れかに記載の結合装置であって、
前記雄側締結部材は、Ｕボルトであり、
前記雌側締結部材は、ナットである、
ことを特徴とする結合装置。  
【請求項６】
請求項１〜５の何れかに記載の結合装置を用いて棒状部材相互の結合を行うことを特徴とする植物支持棚。
【発明の詳細な説明】
【技術分野】
【０００１】
本発明は、交差した棒状部材相互間を結合する棒状部材の結合装置及び植物支持棚に関するものである。
【背景技術】
【０００２】
従来の植物支持棚としては、例えば、複数本の棒状部材であるパイプを格子状に結合し、植物の蔓等を這わせるようにしたものがある。かかる植物支持棚では、格子状に配置したパイプの各交差部を溶接によって結合するため、植物支持棚の組み立ての作業効率が悪く、且つ分解、再組み立てが困難であった。しかも、結合した交差部の位置変更も困難であった。
【０００３】
一方、交差したパイプの結合には、一対のパイプ固定具を用いたものがある。パイプ固定具は、受け部材と押さえ部材とを備え、両部材がパイプを挟んだ状態でボルトによって締結固定される。このパイプ固定具を交差する各パイプに固定した後、両パイプ固定具間をボルトによって締結固定する。
【０００４】
このため、一対のパイプ固定具を用いた場合は、パイプを溶接によって結合する場合に比較して、結合作業を容易に行わせることができ、且つ分解、再組み立て、結合した交差部の位置変更も可能である。
【０００５】
しかし、パイプ固定具の各パイプへの固定及びパイプ固定具間の固定が必要なため、依然として作業効率が悪いものとなっていた。
【０００６】
また、パイプの結合には、作業を容易に行わせる等のためにＵボルトを用いたものもある。かかる結合では、Ｕボルトによってパイプを保持し、この状態でＵボルトを固定側に対して締結する構造であるため、パイプ同士を直接、容易に結合できる構造ではなかった。
【０００７】
【特許文献１】特開平８−２４６６４号公報
【特許文献２】特開平７−１２５７９３号公報
【特許文献３】特開２００４−２５４４６２公報
【特許文献４】特開２００６−７０６１５公報
【発明の開示】
【発明が解決しようとする課題】
【０００８】
本発明が解決しようとする課題は、交差した棒状部材相互間を結合する場合に作業効率が悪くなる点である。
【課題を解決するための手段】
【０００９】
本発明は、交差した棒状部材相互間を容易に結合するため、棒状部材の外周部断面方向に屈曲した屈曲部により該棒状部材の外周部の一部にそれぞれ断面方向へ係合し軸方向へ相対移動可能な各棒状部材の各保持部材と、保持部材相互を締結結合し各保持部材の屈曲部を各棒状部材の外周部にそれぞれ圧接させて前記両棒状部材を挟圧固定可能とする締結部材とからなることを最も主要な特徴とする。
【発明の効果】
【００１０】
本発明によれば、保持部材が棒状部材の外周部の一部にそれぞれ断面方向へ係合し、各棒状部材の保持部材相互間を締結部材によって締結結合することにより、各保持部材の屈曲部を各棒状部材の外周部にそれぞれ圧接させて前記両棒状部材を挟圧固定可能とすることができる。
【００１１】
従って、各棒状部材に嵌合させた保持部材相互間を締結結合するだけで、交差した棒状部材相互間を容易に結合することができ、作業効率を向上することができる。
【発明を実施するための最良の形態】
【００１２】
棒状部材相互間を容易に結合するという目的を、各棒状部材の外周部の一部に屈曲部によりそれぞれ断面方向へ係合し軸方向へ相対移動可能な保持部材を備えることによって実現した。
【実施例１】
【００１３】
［植物支持棚の全体構成］
図１は、本発明の実施例１に係る結合具を適用した植物支持棚を示す斜視図である。図１のように、植物支持棚１は、格子状に配置された複数の棒状部材であるパイプ３が枠体５に取り付けられて形成されている。
【００１４】
前記枠体５は、複数本の縦フレーム７と横フレーム９とを結合することによって形成されている。本実施例では、平行に配置された三本の縦フレーム７間を、長手方向の両端部及び中間部において直交する横フレーム９によって結合している。各フレーム７，９には、長手方向の所定間隔毎にパイプ３を挿通するための貫通孔１１が設けられている。縦フレーム７の貫通孔１１と横フレーム９の貫通孔１１とは、上下方向においてずれて配置され、後述する縦パイプ１３及び横パイプ１５を上下方向に隣接させて交差できるようになっている。各縦フレーム７の貫通孔１１同士及び各横フレーム９の貫通孔１１同士は相互に対向配置されている。
【００１５】
前記枠体５には、脚部１７が設けられ、該脚部１７の下端が地面１９に埋設されることによって地面１９に対して所定の高さに設置される。
【００１６】
前記格子状のパイプ３は、縦フレーム７に沿った複数の縦パイプ１３と横フレーム９に沿った複数の横パイプ１５とを備えている。縦パイプ１３及び横パイプ１５は、例えば鉄等の金属の他、ステンレスやアルミ等の軽金属、竹、プラスチック等からなり、縦フレーム７及び横フレーム９の貫通孔１１と対応した円形断面の中空円柱状に形成されている。縦パイプ１３及び横パイプ１５の長さは、それぞれ縦フレーム７及び横フレーム９とほぼ同一に設定されている。
【００１７】
そして、前記縦パイプ１３は、横フレーム９の対抗する貫通孔１１を貫通し、縦フレーム７に沿って横フレーム９間に掛け渡されている。前記横パイプ１５は、縦フレーム７の対向する貫通孔１１を貫通し、横フレーム９に沿って縦フレーム７間に掛け渡されている。これによって、縦パイプ１３及び横パイプ１５は、交差した格子状に配置されている。
【００１８】
格子状に配置された縦パイプ１３及び横パイプ１５は、各交差部２１において結合具２３によって相互に結合されている。格子状のパイプ３は、結合された縦パイプ１３及び横パイプ１５が挿通孔１１によって断面方向への移動が規制され、枠体５に対して固定される。
【００１９】
［結合具の具体構造］
図２は図１の植物支持棚の交差部を示す斜視図、図３は図２の交差部の背面図、図４は図２の交差部の正面図、図５は図２の交差部の側面図である。
【００２０】
前記結合具２３は、図２〜図５のように、保持部材の一方であるベース部材２５と、保持部材の他方である雄側締結部材としての一対のＵボルト２７，２７とを備えている。
【００２１】
前記ベース部材２５は、例えばステンレスやアルミ等の金属板からなり、一側から他側にかけて縦パイプ１３の軸方向に沿った屈曲部としての凹部２９を有している。凹部２９は、ベース部材２５をプレス等によって外面側に膨出するように屈曲している。凹部２９の断面形状は、縦パイプ１３の外周部３１の断面形状に沿ったものとなっている。本実施例においては、凹部２９の内面３３が、縦パイプ１３とほぼ同一の曲率を有した半円弧状の円形状に形成されている。すなわち、凹部２９は、縦パイプ１３の外周部３１の一部に嵌合し、その外周部断面方向に係合するようになっている。従って、嵌合状態では、縦パイプ１３の外周部３１の一部が凹部２９の開口部３５から突出するようになっている。
【００２２】
前記ベース部材２５は、凹部２９の開口縁に沿ったフランジ部３７，３９を有している。フランジ部３７，３９は、それぞれ前記ベース部材２５の一側及び他側に貫通孔４１，４１及び貫通孔４３，４３が設けられている。
【００２３】
前記Ｕボルト２７は、例えば鉄やステンレス等の金属製の線状材からなっている。Ｕボルト２７は、線状材の中間部４５が横パイプ１５の曲率に合わせて半円弧状に折り曲げ形成されている。従って、中間部４５の形状は、横パイプ１５の外周部４５の断面形状に沿ったものとなっている。本実施例においては、Ｕボルト２７の中間部４５が横パイプ１５の外周部４５とほぼ同一の曲率を有した円形状に形成されている。すなわち、Ｕボルト２７の中間部４５は、横パイプ１５の外周部４５の一部に嵌合し、その外周分断面方向に係合する屈曲部を構成している。
【００２４】
前記Ｕボルト２７の両端部４９は、前記中間部４５の半円弧形状によって同方向に向いている。両端部４９は相互間に隙間を有して対向し、該隙間の寸法は前記各フランジ部３７の貫通孔４１，４１間及び貫通孔４３，４３間の寸法とほぼ同一となっている。そして、Ｕボルト２７の両端部４９は、締結用の雄ねじ部５１を備え、前記フランジ部３７の貫通孔４１，４１又は貫通孔４３，４３に挿通し雌側締結部材としてのナット５３を螺合できるようになっている。
【００２５】
前記締結具２３は、格子状に配置されたパイプ３の各交差部２１において、ベース部材２５とＵボルト２７とが縦、横パイプ１３，１５に嵌合した状態で締結結合されている。
【００２６】
すなわち、ベース部材２５は、交差部２１の外側から凹部２９が縦パイプ１３の外周部３１の一部に嵌合される。一方、Ｕボルト２７は、縦パイプ１３の断面方向両側において、交差部２１の外側から中間部４５が横パイプ１５の外周部４７の一部に嵌合される。
【００２７】
そして、Ｕボルト２７は、前記ベース部材２５のフランジ部３７の貫通孔４１，４１及び貫通孔４３，４３に挿通し、挿通した両端部４９に対してナット５３が螺合される。従って、ベース部材２５とＵボルト２７とは、相互に締結結合される。
【００２８】
このとき、交差部２１の外側においては、ベース部材２５の凹部２９とＵボルト２７の中間部４５が各パイプ１３，１５の外周部３１，４５にそれぞれ圧接している。また、交差部２１の内側においては、ベース部材２５の凹部２９の開口部３５から縦パイプ１３の外周部３１の一部が突出し、この突出した縦パイプ１３の外周部３１の一部と横パイプ１５の外周部４７とが圧接している。従って、両パイプ１３，１５は、ベース部材２５とＵボルト２７との間で挟圧固定され結合される。
【００２９】
この結合状態では、ベース部材２５の凹部２９は縦パイプ１３の外周部断面方向に係合し、Ｕボルト２７の中間部４５は横パイプ１５の外周部断面方向に係合している。
【００３０】
従って、結合具２３は、相互に交差する縦パイプ１３及び横パイプ１５の外周部断面方向へのずれが規制され、交差部２１において両パイプ１３，１５を確実に結合することができる。
【００３１】
一方、結合具２３は、ナット５３を緩めることによって、両パイプ１３，１５のベース部材２５とＵボルト２７との間での挟持状態を解除することができる。この状態では、縦パイプ１３及び横パイプ１５がベース部材２５及びＵボルト２７に対して軸方向へ相対移動可能となり、両パイプ１３，１５の何れか一方を軸方向へ引き抜くことができる。従って、締結具２３では、パイプの交換や植物支持棚１の分解、再組み立て等のメンテナンスを容易に行わせることができる。
【００３２】
しかも、締結具２３では、上記のように外周部断面方向へのずれが規制されているため、縦パイプ１３及び横パイプ１５のいずれか一方を引き抜く際も、同他方に対するずれが防止される。従って、パイプのメンテナンス作業をより容易に行わせることができる。
【００３３】
［実施例１の効果］
実施例１によれば、交差した縦、横パイプ１３，１５の外周部断面方向に屈曲して縦、横パイプ１３，１５の外周部３１，４７の一部に嵌合すると共に前記外周部断面方向へ係合したベース部材２５及びＵボルト２７を、ナット５１によって締結結合し前記ベース部材２５及びＵボルト２７間で縦、横パイプ１３，１５を挟持固定することができる。
【００３４】
従って、締結具２３では、縦、横パイプ１３，１５を嵌合させたベース部材２５及びＵボルト２７を締結するだけで、交差した縦、横パイプ１３，１５相互間を容易且つ迅速に結合することができる。結果として、植物支持棚１の組立を容易且つ迅速に行わせることができる。
【００３５】
また、本実施例では、ナット５３を緩めることによって、両パイプ１３，１５のベース部材２５とＵボルト２７との間での挟持状態を解除し、両パイプ１３，１５の何れか一方を軸方向へ引き抜くことができる。従って、パイプの交換や植物支持棚１の分解、再組み立て等のメンテナンスを容易に行わせることができる。
【００３６】
このため、パイプの腐食等に注意を払う必要が無く、パイプを比較的安価な鉄等によって形成することができ、結果として植物支持棚１を全体として安価なものとすることができる。
【００３７】
しかも、締結具２３では、上記のように外周部断面方向へのずれが規制されているため、両パイプ１３，１５のいずれか一方を引き抜く際も同他方のずれが防止される。従って、パイプのメンテナンス作業をより容易に行わせることができる。
【００３８】
また、本実施例では、保持部材の他方としてＵボルト２７を用いているため、より容易且つ迅速に結合作業を行わせることができると共に構造を簡素化することができる。
【００３９】
前記ベース部材２５及びＵボルト２７の断面形状は、両パイプ１３，１５の外周部３１，４７の断面形状に沿ったものとなっているため、ベース部材２５及びＵボルト２７を両パイプ１３，１５に対して確実に嵌合させることができ、パイプ１３，１５相互間の結合をより確実に行わせることができる。
【００４０】
さらに、ベース部材２５及びＵボルト２７の断面形状は、円形状であるため、ベース部材２５及びＵボルト２７をパイプ１３，１５に対して、より確実に嵌合させることができる。
【００４１】
さらに、本実施例の植物支持棚１では、縦パイプ１３及び横パイプ１５が枠体５に設けられた貫通孔１１に挿通することによって断面方向への移動が規制されて格子状に配置されるため、縦パイプ１３と横パイプ１５とを結合するだけで、格子状パイプ３を枠体５に対して固定することができる。かかる点からも、植物支持棚１の組立を容易且つ迅速に行わせることができる。
【００４２】
なお、上記実施例の植物支持棚１は、枠体５に対して格子状のパイプ３を取り付ける構造となっているが、枠体５を省略することも可能である。
【００４３】
すなわち、上記実施例の結合具２３は、相互に交差する縦パイプ１３及び横パイプ１５の外周部断面方向へのずれを規制することにより、両パイプ１３，１５の軸方向の変位を規制することができる。従って、枠体５を省略しても、交差部２１の変位を確実に規制し、パイプ３の格子状態を確実に保持することができ、安定した植物支持棚とすることができる。
【００４４】
この場合、ナット５３を緩めることによって両パイプ１３，１５のベース部材２５とＵボルト２７との間での挟持状態を解除し、両パイプ１３，１５の何れか一方を同他方の軸方向へ締結具２３と共にスライドさせ、交差部２１の位置を容易に変更することができる。
【００４５】
これに対し、例えばパイプの交差部を断面方向に貫通する単一のボルトによって単に結合する場合は、枠体を省略すると、ボルトを支点としてパイプの一方が回転し同他方の軸方向への変位が許容されることになる。このため、パイプの交差部の変位が許容され、パイプの格子状態を保持することができなくなり、結果として植物支持棚が不安定となる。
【００４６】
従って、枠体を省略することはできず、交差部の位置を変更することもできなくなる。
【００４７】
［変形例］
異なる径を有するパイプ相互間を締結する場合は、パイプの径に応じてベース部材及びＵボルトの何れか一方又は双方を変更することによって、容易に対応させることができる。
【００４８】
図６は、本発明の実施例１に係る締結具の変形例を示す斜視図である。図７は、図６の締結具の側面図である。
【００４９】
変形例では、図６，７のように、ベース部材２５に代えて、凹部２９Ａが横パイプ１５よりも大径の縦パイプ１３に沿った断面形状に形成されたベース部材２５Ａが用いられている。
【００５０】
図８は、本発明の実施例１に係る締結具の別の変形例を示す側面図である。
【００５１】
別の変形例では、図８のように、Ｕボルト２７に代えて、中間部４５Ａが縦パイプ１３よりも大径の横パイプ１５Ａに沿った形状に形成されたＵボルト２７Ａが用いられている。
【実施例２】
【００５２】
図９は本発明の実施例２に係る締結具による結合状態を示す交差部の正面図、図１０は図９の交差部の側面図である。なお、基本構成は、上記実施例１と同様であるため、対応する構成部分に同符号又は同符号にＣを付して説明する。
【００５３】
実施例２は、図９及び図１０のように、断面四角形状の縦パイプ１３Ｃ及び横パイプ１５Ｃ相互間を結合するものである。実施例２の締結具２３Ｃは、実施例１のベース部材２５及びＵボルト２７に代えて、断面四角形状のベース部材２５Ｃ及びＵボルト２７Ｃが用いられている。
【００５４】
すなわち、前記ベース部材２５Ｃは、凹部２９Ｃの断面形状が縦パイプ１３Ｃの外周部３１Ｃの断面形状に沿った断面四角形状となっている。Ｕボルト２７Ｃは、中間部４５Ｃの側面形状が横パイプ１５Ｃの外周部４７Ｃの断面形状に沿った四角形状となっている。
【００５５】
本実施例においても、上記実施例１と同様の作用効果を奏することができる。また、締結具２３Ｃは、実施例１の円形断面の縦パイプ１３及び横パイプ１５に用いることも可能であり、汎用性を向上させることができる。
【実施例３】
【００５６】
図１１は本発明の実施例３に係る締結具による結合状態を示す交差部の正面図である。なお、基本構成は、上記実施例１と同様であるため、対応する構成部分に同符号又は同符号にＤを付して説明する。
【００５７】
実施例３は、図１１のように、断面三角形状の縦パイプ１３Ｄ及び横パイプ１５Ｄ相互間を結合するものである。実施例３の締結具２３Ｄは、実施例１のベース部材２５及びＵボルト２７に代えて、断面三角形状のベース部材２５Ｄ及びＵボルト２７Ｄが用いられている。
【００５８】
すなわち、前記ベース部材２５Ｄは、凹部２９Ｄの断面形状が縦パイプ１３Ｄの外周部３１Ｄの断面形状に沿った断面四角形状となっている。Ｕボルト２７Ｄは、中間部４５Ｄの側面形状が横パイプ１５Ｄの外周部４７Ｄの断面形状に沿った四角形状となっている。
【００５９】
本実施例においても、上記実施例１及び２と同様の作用効果を奏することができる。
【実施例４】
【００６０】
図１２は本発明の実施例４に係る締結具による結合状態を示す背面図である。なお、なお、基本構成は、上記実施例１と同様であるため、対応する構成部分に同符号又は同符号にＦを付して説明する。
【００６１】
実施例４は、図１２のように、直行ではなく斜めに交差する縦パイプ１３及び横パイプ１５相互間を結合するものである。実施例３の締結具２３Ｆは、実施例１のベース部材２５に代えて、一側から他側にかけて斜めに凹部２９Ｆが設けられたベース部材２５Ｆが用いられている。ベース部材２５Ｆの背面視形状は、矩形形状となっている。なお、ベース部材の背面視形状は、図１３のように、平行四辺形とすることも可能である。
【００６２】
本実施例においても、上記実施例１同様の作用効果を奏することができるのに加え、斜めに交差するパイプ１３，１５を確実に結合することができる。
【００６３】
以上、本発明の実施例について説明したが、本発明はこれに限定されるものではなく、各種の変更が可能である。例えば、ベース部材の凹部は、断面形状がパイプの断面形状に沿って形成されていたが、必ずしもパイプの断面形状に沿った形状としなくても良い。すなわち、ベース部材の凹部は、パイプと嵌合できればよく、円形状、四角形状、三角形状に以外の多角形状とすることも可能である。Ｕボルトの中間部の側面形状についても同様である。
【００６４】
また、上記実施例では、保持部材の他方としてＵボルトを用いていたが、例えば、保持部材の他方もベース部材とし、ベース部材相互間を締結部材としてのボルトナットによって締結結合する構成とすることも可能である。
【００６５】
また、Ｕボルトに代えて、フック状の一端部にパイプを嵌合させ他端部をベース部材に結合するＪ字状のボルト等を用いることも可能である。
【図面の簡単な説明】
【００６６】
【図１】植物支持棚を示す斜視図である（実施例１）。
【図２】図１の植物支持棚の交差部を示す斜視図である（実施例１）。
【図３】図２の交差部の背面図である（実施例１）。
【図４】図２の交差部の正面図である（実施例１）。
【図５】図２の交差部の側面図である（実施例１）。
【図６】締結具の変形例を示す斜視図である（実施例１）。
【図７】図６の締結具の側面図である（実施例１）。
【図８】締結具の別の変形例を示す側面図である（実施例１）。
【図９】締結具による結合状態を示す交差部の正面図である（実施例２）。
【図１０】図９の交差部の側面図である（実施例２）。
【図１１】締結具による結合状態を示す交差部の正面図である（実施例３）。
【図１２】締結具による結合状態を示す背面図である（実施例４）。
【図１３】締結具の変形例を示す斜視図である（実施例４）。
【符号の説明】
【００６７】
１  植物支持棚
３  パイプ（棒状部材）
１３  縦パイプ（棒状部材）
１５  横パイプ（棒状部材）
２１  交差部
２５  ベース部材（保持部材）
２７  Ｕボルト（保持部材）
２９  凹部
３１，４７  外周部
５３  ナット（締結部材）
【図１】
2008157294.tif 000003
【図２】
2008157294.tif 000004
【図３】
2008157294.tif 000005
【図４】
2008157294.tif 000006
【図５】
2008157294.tif 000007
【図６】
2008157294.tif 000008
【図７】
2008157294.tif 000009
【図８】
2008157294.tif 000010
【図９】
2008157294.tif 000011
【図１０】
2008157294.tif 000012
【図１１】
2008157294.tif 000013
【図１２】
2008157294.tif 000014
【図１３】
2008157294.tif 000015